(57)【要約】      （修正有）【課題】施工現場で擁壁ブロックを築造する際に、コンクリートを打設する擁壁ブロックの控長を容易に調整できる擁壁ブロックの固定治具及びこの固定治具を用いた擁壁の施工方法を提供する。【解決手段】所定間隔を開けて平行に配設された前壁１１と後壁１２と間にコンクリートを打設して築造される練積み構造の擁壁ブロック１０において、前記前壁１１の上端中央部を着脱自在に挟持する前壁挟持部２と、前記前壁１１の後方に前記前壁１１と平行、かつ、異なる間隔で対向配置される前記後壁１２の上端中央部を着脱自在に挟持する複数の後壁挟持部３，４，５と、を備えたことを特徴とする擁壁ブロック１０の固定治具１及びこれを用いた擁壁の施工方法とした。【選択図】図１
2020066886.tif 000002
【特許請求の範囲】
【請求項１】
所定間隔を開けて平行に配設された前壁と後壁と間にコンクリートを打設して築造される練積み構造の擁壁ブロックにおいて、
前記前壁の上端中央部を着脱自在に挟持する前壁挟持部と、
前記前壁の後方に前記前壁と平行、かつ、異なる間隔で対向配置される前記後壁の上端中央部を着脱自在に挟持する複数の後壁挟持部と、
を備えたことを特徴とする擁壁ブロックの固定治具。
【請求項２】
請求項１の擁壁ブロックの固定治具を用いて、擁壁ブロックを法面の傾斜面に沿って上方に積み上げて築造することを特徴とする擁壁の施工方法。
【発明の詳細な説明】
【技術分野】
【０００１】
本発明は、練積み構造の擁壁ブロックに関し、詳しくは、擁壁の施工現場において、コンクリートを打設する控長を容易に調整できる擁壁ブロックの固定治具及びこの固定治具を用いた擁壁の施工方法に関する。
【背景技術】
【０００２】
従来、道路や宅地、河川の堤防等の造成地における法面を土留めするために、プレキャストコンクリート製の練積み構造の擁壁ブロックが用いられる。このような練積み構造の擁壁ブロックの築造においては、まず、法面前方の下部に設置した基礎の上部に、擁壁ブロックを構成する前壁と、この前壁の後方に当該前壁と平行に設けられた後壁を載置し、後壁と法面との間にクラッシャラン（粒度砕石）を入れて上部から転圧する。
【０００３】
そして、擁壁ブロックの前壁と後壁との間に形成された所定間隔（以下、控長という）の空間にコンクリートを打設し、コンクリートが固まるのを待つ、そして、コンクリートが固まったら、擁壁ブロックの上部に擁壁ブロックを積み重ねて設置して同じ作業を繰り返すことにより、擁壁ブロックを法面の傾斜面に沿って上方に築造していた。
【０００４】
上述したような従来の擁壁ブロックの築造作業では、擁壁ブロックを築造する高さ（例えば、最大５ｍ）や土留する法面の土の状態に応じて、擁壁ブロックの控長（前壁と後壁との間隔）を変更し、打設されるコンクリートの厚みを異ならせる必要がある。具体的には、擁壁ブロックを築造する高さが高いほど、また、法面の土の状態が悪い場合に、擁壁ブロックの前壁と後壁との控長を長くして、打設されるコンクリートを厚くする必要がある。このため、施工現場に応じて擁壁ブロックの控長を調整可能な擁壁ブロックが必要であった。
【０００５】
上記の問題を解決するものとして、前面ブロックと背面ブロックとを平行に保って互いに離間した状態に連結するための、両端に雄ネジが形成された長尺のネジ棒で構成された連結棒を備え、両ブロック間の間隔調整を、連結棒の両端の雄ネジのねじ込み固定位置の調整で行うことができる擁壁ブロックが開示されている。（特許文献１参照。）
【先行技術文献】
【特許文献】
【０００６】
【特許文献１】特開２０１３−２２１３６６号公報
【発明の概要】
【発明が解決しようとする課題】
【０００７】
特許文献１に記載の擁壁用ブロックによれば、前面ブロックの後方に連結棒を介して背面ブロックを一体に設け、両ブロック間の間隔調整を、連結棒の両端の雄ネジのねじ込み固定位置の調整で行うことができる構成のため、施工現場に応じて擁壁ブロックの控長を調整することはできる。
【０００８】
しかしながら、複数（例えば、４本）の連結棒により、前面ブロックと背面ブロックとを互いに離間、かつ、平行を保つ組立て状態に保持する構成のため、部品点数が多くなり組立作業に手間がかかる。また、限られた作業スペースしか確保できない施工現場においては、両ブロックの平行を保った状態を保持して連結することが困難な場合がある。
【０００９】
本発明は、上記課題を解決するために、施工現場で擁壁ブロックを築造する際に、コンクリートを打設する擁壁ブロックの控長を容易に調整できる擁壁ブロックの固定治具及びこの固定治具を用いた擁壁の施工方法を提供することを目的とする。
【課題を解決するための手段】
【００１０】
上記目的を達成するために、本発明は以下の技術を提供する。
【００１１】
本発明は、所定間隔を開けて平行に配設された前壁と後壁と間にコンクリートを打設して築造される練積み構造の擁壁ブロックにおいて、前記前壁の上端中央部を着脱自在に挟持する前壁挟持部と、前記前壁の後方に前記前壁と平行、かつ、異なる間隔で対向配置される前記後壁の上端中央部を着脱自在に挟持する複数の後壁挟持部と、を備えたことを特徴とする擁壁ブロックの固定治具とした。
【００１２】
また、前記擁壁ブロックの固定治具を用いて、擁壁ブロックを法面の傾斜面に沿って上方に積み上げて築造することを特徴とする擁壁の施工方法とした。
【発明の効果】
【００１３】
本発明は、所定間隔を開けて平行に配設された前壁と後壁と間にコンクリートを打設して築造される練積み構造の擁壁ブロックにおいて、前記前壁の上端中央部を着脱自在に挟持する前壁挟持部と、前記前壁の後方に前記前壁と平行、かつ、異なる間隔で対向配置される前記後壁の上端中央部を着脱自在に挟持する複数の後壁挟持部と、を備えたことを特徴とする擁壁ブロックの固定治具とした。これにより、後壁を挟持する固定治具の複数の後壁挟持部のうちの何れかを選択することで、築造する高さや土留する法面の土の状態に応じて、擁壁ブロックの控長（前壁と後壁との間隔）を複数の間隔から任意に変更することが可能となる。すなわち、施工現場で擁壁を築造する際に、コンクリートを打設する擁壁ブロックの控長を容易に調整できる擁壁ブロックの固定治具を提供することができる。
【００１４】
また、本発明の擁壁ブロックの固定治具の前壁挟持部は、一枚の細長い矩形平板状の鋼板の一端（前端）を、上部を後方に傾斜した傾斜面を有する前壁に応じた角度に下方に折り曲げた前壁前面挟持板と、さらに、前壁の厚みに応じて所定長さの平板状の鋼板の一端を前壁の傾斜角度に合わせて鋼板の下面に溶接した前壁後面挟持板との組合せにより形成される。また、複数（例えば、３個）の後壁挟持部は、一枚の矩形平板状の鋼板の他端（後端）を、前壁と平行になるように後壁の傾斜角度に応じて下方に折り曲げた第三後壁後面挟持板と、後壁の厚みに応じて所定長さの平板状の鋼板の一端を後壁の傾斜角度に合わせて鋼板の下面に溶接した第三後壁前面挟持板との組み合わせにより第三後壁挟持部が形成される。同様に、第三後壁挟持部よりも前壁挟持部側に後壁の厚みや傾斜角度に合わせて所定長さの平板状の鋼板の一端を鋼板の下面に溶接した第二後壁前面挟持板及び第二後壁前面挟持板との組み合わせにより第二後壁挟持部が形成される。さらに、第二後壁挟持部よりも前壁挟持部側に後壁の厚みや傾斜角度に合わせて所定長さの平板状の鋼板の一端を鋼板の下面に溶接した第一後壁前面挟持板及び第一後壁後面挟持板との組み合わせにより第一後壁挟持部が形成される。
【００１５】
このとき、固定治具の前壁挟持部を形成する前壁前面挟持板と前壁後面挟持板との長さは、前壁前面挟持板の方が前壁後面挟持板よりも下方に長く形成されている。また、固定治具の複数の後壁挟持部（第一〜第三後壁挟持部）を形成する第一〜第三後壁前面挟持板と第一〜第三後壁後面挟持板との長さは、第一〜第三後壁後面挟持板の方が第一〜第三後壁前面挟持板よりも下方に長く形成されている。この構成により、本発明の固定治具によれば、所定間隔を開けて平行に傾斜を有して配設された擁壁ブロックの前壁と後壁とを安定して挟持固定することができる。
【００１６】
また、本発明は、上記固定治具を用いて、擁壁ブロックを法面の傾斜面に沿って上方に積み上げて築造することを特徴とする擁壁の施工方法である。この擁壁の施工方法は、土留めする法面前方の地面に配設（埋設）した基礎の上部に、擁壁ブロックを構成する前壁と、この前壁の裏面に当該前壁と平行に設けられた後壁を載置する。そして、固定治具を取り付けることにより、前壁の上端中央部が前壁挟持部により挟持固定される。一方、前壁の後方に前壁と平行、かつ、異なる間隔で対向配置される後壁の上端中央部が複数の後壁挟持部の何れかにより挟持固定される。
【００１７】
この状態で、後壁と法面との間にクラッシャラン（粒度砕石）を入れて上部から転圧する。さらに、擁壁ブロックの前壁と後壁との控長の空間にコンクリートを打設して、固定治具を擁壁ブロックの前壁と後壁との上端から取り外す。この後、擁壁ブロックの前壁及び後壁の上部にそれぞれ擁壁ブロックの前壁及び後壁を重ねて載置して、再度固定治具を前壁と後壁との上端中央部に取り付ける。これにより、固定治具の前壁挟持部及び複数の後壁挟持部の何れかにより前壁と後壁とは所定の控長を維持した状態で挟持固定される。以下、同様の工程を繰り返すことにより、擁壁ブロックを法面の傾斜面に沿って上方に一段ずつ築造する。
【００１８】
すなわち、上記擁壁の施工方法によれば、擁壁ブロックを構成する前壁及び後壁の上端中央部を固定治具で挟持固定するだけで、施工現場で擁壁ブロックを築造する際に、コンクリートを打設する擁壁ブロックの控長を容易に調整できる擁壁ブロックの固定治具を用いた擁壁ブロックを築造することができる。
【図面の簡単な説明】
【００１９】
【図１】本実施形態に係る固定治具及び擁壁ブロックの外観を示す斜視図である。
【図２】本実施形態に係る固定治具の構成を示す斜視図である。
【図３】本実施形態に係る固定治具の構成を示す側面図である。
【図４】本実施形態に係る固定治具を用いた擁壁ブロックの固定状態を説明する側面図である。
【図５】本実施形態に係る固定治具を用いた擁壁の施工方法を説明する側面図である。
【図６】本実施形態に係る固定治具を用いた擁壁の施工方法を説明する側面図である。
【図７】本実施形態に係る固定治具を用いた擁壁の施工方法を説明する側面図である。
【発明を実施するための形態】
【００２０】
以下、この発明の実施形態を図面に基づき詳説する。なお、以下の説明では、道路や宅地、河川の堤防等の造成地における法面を土留めするために、プレキャストコンクリート製の小型の擁壁ブロックを、本発明の固定治具を用いて法面の傾斜面に沿って上方に築造する施工を一例として説明する。
【００２１】
以下、図１〜図７を参照して、本発明における固定治具の構成及びこの固定治具を用いて擁壁ブロックを築造する擁壁の施工方法の実施形態の一例を説明する。図１は、本実施形態に係る固定治具及び擁壁ブロックの外観を示す斜視図である。図２は、本実施形態に係る固定治具の構成を示す斜視図である。図３は、本実施形態に係る固定治具の構成を示す側面図である。図４は、本実施形態に係る固定治具を用いた擁壁ブロックの固定状態を説明する側面図である。図５〜７は、本実施形態に係る固定治具を用いた擁壁の施工方法を説明する側面図である。
【００２２】
以下、本発明の固定治具の構成を、図１〜４を参照して説明する。図１に示すように、本実施形態の擁壁ブロック１０は、上部が後方に所定の傾斜角度で傾斜し、前面に化粧面（図示せず）を有し、後面から後方に垂直に突出した二本の控壁１３と一体に形成されたコンクリート（プレキャストコンクリート）製の矩形状（長方形の板状）の前壁１１と、この前壁１１の後方に平行に対向配置される前壁１１と略同形状のコンクリート製の矩形状（長方形の平板状）の後壁１２とにより構成されている。二本の控壁１３は、前壁１１の後面１１ｂの水平方向の両端から等間隔を隔てて対向する後壁１２側に突出して設けられている。
【００２３】
本実施形態の固定治具１は、図１に示すように、前壁１１（二本の控壁１３を含む）と後壁１２とで構成される擁壁ブロック１０の上部に取り付けられ、前壁１１の上端中央部を着脱自在に挟持する前壁挟持部２と、前壁１１の後方に前壁１１と平行、かつ、異なる間隔で対向配置される後壁１２の上端中央部を着脱自在に挟持する複数（本実施形態では３箇所）の後壁挟持部（第一後壁挟持部３、第二後壁挟持部４、第三後壁挟持部５）を備えている。
【００２４】
図１に示すように、本実施形態の固定治具１によれば、擁壁ブロック１０を構成する前壁１１の上端中央部を前壁挟持部２で挟持固定し、後壁１２の上端中央部を３箇所の第一後壁挟持部３、第二後壁挟持部４及び第三後壁挟持部５の何れかで挟持固定することができる。これにより、後壁１２を挟持する固定治具１の第一後壁挟持部３、第二後壁挟持部４及び第三後壁挟持部５のうちの何れかを選択することで、擁壁ブロック１０の施工現場の状況（築造する擁壁の高さや土留する法面の土の状態）に応じて、擁壁ブロック１０の控長（前壁１１と後壁１２との間隔）を複数の間隔（本実施形態では３通り）から任意に変更することを可能としている。
【００２５】
また、図１に示すように、細長い平板状の固定治具１により、擁壁ブロック１０の前壁１１及び後壁１２の上端中央部を挟持固定する構成のため、固定治具１を擁壁ブロック１０に取り付けたままで、後壁１２と法面との間にクラッシャランＳ（粒度砕石）を押し固める作業や前壁１１と後壁１２の間にコンクリートを打設する作業を容易に行うことができる。
【００２６】
以下、図２及び図３を参照して、本実施形態の固定治具１の構成を詳説する。図２及び図３に示すように、固定治具１は、細長い一枚の矩形平板状（例えば、幅３０ｍｍ〜３５ｍｍ、厚み３ｍｍ〜５ｍｍ）の鋼板１Ａで形成されている。前壁挟持部２は、鋼板１Ａの一端（例えば、前壁１１側の一端である前端）を、挟持する前壁１１の上部の後方への傾斜角度（例えば、角度θ１）に応じて下方に折り曲げた前壁前面挟持板２ａと、前壁１１の厚みに応じて所定長さの平板状の鋼板の一端を前壁１１の傾斜角度に合わせて鋼板１Ａの下面に溶接した前壁後面挟持板２ｂとの組合せにより形成される。
【００２７】
３箇所の第一後壁挟持部３、第二後壁挟持部４及び第三後壁挟持部５のうちの第三後壁挟持部５は、一枚の矩形平板状の鋼板１Ａの他端（例えば、前壁１１側とは逆の一端である後端）を、前壁１１と平行になるように後壁１２の傾斜角度（例えば、角度θ２）に応じて下方に折り曲げた第三後壁後面挟持板５ａと、後壁１２の厚みや傾斜角度に応じて所定長さの平板状の鋼板の一端を鋼板１Ａの下面に溶接した第三後壁前面挟持板５ｂとの組み合わせにより第三後壁挟持部５が形成される。同様に、第三後壁挟持部５よりも前壁挟持部２側に、後壁１２の厚みや傾斜角度に合わせて所定長さの平板状の鋼板の一端を鋼板１Ａの下面に溶接した第二後壁後面挟持板４ａ及び第二後壁前面挟持板４ｂとの組み合わせにより第二後壁挟持部４が形成される。さらに、第二後壁挟持部４よりも前壁挟持部２側に後壁１２の厚みや傾斜角度に合わせて所定長さの平板状の鋼板の一端を鋼板１Ａの下面に溶接した第一後壁後面挟持板３ａ及び第一後壁前面挟持板３ｂとの組み合わせにより第一後壁挟持部３が形成される。
【００２８】
固定治具１の前壁挟持部２を形成する前壁前面挟持板２ａと前壁後面挟持板２ｂの長さは、前壁前面挟持板２ａの方が前壁後面挟持板２ｂよりも下方に長く形成されている。前壁前面挟持板２ａの長さは最短でも１００ｍｍ以上が望ましく、最長では前壁１１の長さを超えない程度の長さ（例えば、３００ｍｍ）が望ましい。前壁後面挟持板２ｂの長さは、前壁前面挟持板２ａよりも短い（例えば、５０〜７０ｍｍ）長さが望ましい。
【００２９】
３箇所の第一後壁挟持部３、第二後壁挟持部４、第三後壁挟持部５を形成する第一後壁前面挟持板３ｂ、第二後壁前面挟持板４ｂ、第三後壁前面挟持板５ｂと第一後壁後面挟持板３ａ、第二後壁後面挟持板４ａ、第三後壁後面挟持板５ａとの長さは、第一後壁後面挟持板３ａ、第二後壁後面挟持板４ａ、第三後壁後面挟持板５ａの方が第一後壁前面挟持板３ｂ、第二後壁前面挟持板４ｂ、第三後壁前面挟持板５ｂよりも下方に長く形成されている。第一後壁後面挟持板３ａ、第二後壁後面挟持板４ａ、第三後壁後面挟持板５ａの長さは最短でも１００ｍｍ以上が望ましく、最長では後壁１２の長さを超えない程度の長さ（例えば、３００ｍｍ）が望ましい。第一後壁前面挟持板３ｂ、第二後壁前面挟持板４ｂ、第三後壁前面挟持板５ｂの長さは、第一後壁後面挟持板３ａ、第二後壁後面挟持板４ａ、第三後壁後面挟持板５ａよりも短い（例えば、５０〜７０ｍｍ）長さが望ましい。
【００３０】
上記構成の固定治具１によれば、所定間隔を開けて平行に傾斜を有して配設された擁壁ブロック１０の前壁１１と後壁１２とを安定して挟持固定することができる。すなわち、本実施形態の固定治具１は、擁壁ブロック１０を築造する法面Ｎの高さや、法面Ｎの土の状態に応じて擁壁ブロック１０の控長を三種類の長さに固定するための治具である。なお、本実施形態の固定治具１は、３箇所の後壁挟持部（第一後壁挟持部３、第二後壁挟持部４、第三後壁挟持部５）を有する構成としたが、本発明の固定治具１の後壁挟持部は複数形成されていればよく３箇所に限定されるものではない。
【００３１】
以下、図４を参照して、本実施形態の固定治具１による擁壁ブロック１０の前壁１１と後壁１２との挟持固定状態を説明する。擁壁ブロック１０は、擁壁を築造する法面Ｎ前方の地面Ｇに埋設された基礎１４の上部に設置される。図４（ａ）に示す固定治具１の設置例は、コンクリートを打設する擁壁ブロック１０の控長（前壁１１と後壁１２との間隔）が最短の距離で設置される場合を示している。具体的には、図４（ａ）に示すように、前壁１１の下面は、基礎１４の前壁載置面１４ａに載置され、後壁１２の下面は、基礎１４の後壁載置面１４ｂに載置される。この状態で、前壁１１の上端中央部は前壁挟持部２により挟持固定され、後壁１２の上端中央部は第一後壁挟持部３により挟持固定される。このとき、控壁１３の後端面１３ｂは、後壁１２の前面１２ａと当接した状態で設置される。これにより、擁壁ブロック１０の控長は、小型の擁壁ブロック１０で規定されている標準の控長（例えば、３５０ｍｍ）となる。
【００３２】
図４（ｂ）に示す固定治具１の設置例は、コンクリートを打設する擁壁ブロック１０の控長（前壁１１と後壁１２との間隔）が中間の距離で設置される場合を示している。具体的には、図４（ｂ）に示すように、前壁１１の下面は、基礎１４の前壁載置面１４ａに載置され、後壁１２の下面は、基礎１４の後壁載置面１４ｂに載置される。この状態で、前壁１１の上端中央部は前壁挟持部２により挟持固定され、後壁１２の上端中央部は第二後壁挟持部４により挟持固定される。このとき、控壁１３の後端面１３ｂは、後壁１２の前面１２ａと距離Ｈ１（例えば、１００ｍｍ）分離間した状態で設置される。これにより、擁壁ブロック１０の控長は、小型の擁壁ブロック１０で規定されている標準の控長に距離Ｈ１分プラスした長さとなる。また、この距離Ｈ１（例えば、１００ｍｍ）分の離間距離は、擁壁ブロック１０を築造する高さ（例えば、最大５ｍ）や土留する法面Ｎの土の状態に応じた裏込めコンクリートの厚みである。
【００３３】
図４（ｃ）に示す固定治具１の設置例は、コンクリートを打設する擁壁ブロック１０の控長（前壁１１と後壁１２との間隔）が最長の距離で設置される場合を示している。具体的には、図４（ｃ）に示すように、前壁１１の下面は、基礎１４の前壁載置面１４ａに載置され、後壁１２の下面は、基礎１４の後壁載置面１４ｂに載置される。この状態で、前壁１１の上端中央部は前壁挟持部２により挟持固定され、後壁１２の上端中央部は第三後壁挟持部５により挟持固定される。このとき、控壁１３の後端面１３ｂは、後壁１２の前面１２ａと、図４に示す距離Ｈ１より長い距離Ｈ２（例えば、１５０ｍｍ）分離間した状態で設置される。これにより、擁壁ブロック１０の控長は、小型の擁壁ブロック１０で規定されている標準の控長に距離Ｈ２分プラスした長さとなる。また、この距離Ｈ２（例えば、１５０ｍｍ）分の離間距離は、擁壁ブロック１０を築造する高さ（例えば、最大５ｍ）や土留する法面Ｎの土の状態に応じた裏込めコンクリートの厚みである。
【００３４】
上記構成の固定治具１を用いることにより、後壁１２を挟持する固定治具１の複数の後壁挟持部（本実施形態では、３箇所の第一後壁挟持部３、第二後壁挟持部４、第三後壁挟持部５）のうちの何れかを選択することで、築造する高さや土留する法面の土の状態に応じて、擁壁ブロック１０の控長（前壁と後壁との間隔）を複数の間隔から任意に変更することが可能となる。すなわち、施工現場で擁壁ブロック１０を築造する際に、コンクリートを打設する擁壁ブロック１０の控長を容易に調整できる擁壁ブロックの固定治具１とすることができる。また、固定治具１は、細長い（例えば、幅３０ｍｍ〜３５ｍｍ、厚み３ｍｍ〜５ｍｍ）一枚の矩形平板状の鋼板１Ａの前端と後端を下方に折り曲げ、さらに、前壁１１や後壁１２の厚みに応じて所定長さの平板状の鋼板の一端を前壁１１や後壁１２の傾斜角度に合わせて鋼板１Ａの下面に溶接して、前壁挟持部２と３箇所の第一後壁挟持部３、第二後壁挟持部４、第三後壁挟持部５を形成する構成のため、製造が容易かつ安価でできるため、例えば、施工現場の擁壁ブロック１０を築造する際に一段単位で予め複数用意することができ、施工現場の擁壁ブロック１０を一段単位で同時に施工することができる。
【００３５】
以下、図５〜７を参照して、本実施形態の固定治具１による擁壁ブロック１０の築造による擁壁の施工方法を説明する。
【００３６】
擁壁ブロック１０は、図５に示すように、擁壁を築造する法面Ｎ前方の地面Ｇに埋設された基礎１４の上部に最初の一段目の擁壁ブロック１０が設置される。そして、固定治具１により、前壁１１の上端中央部を前壁挟持部２により挟持固定し、後壁１２の上端中央部を第一後壁挟持部３により挟持固定する。つまり、本実施形態の固定治具１は、擁壁ブロック１０の控長を固定するための治具として使用される。なお、以下の施工例は、擁壁ブロック１０の控長は、小型の擁壁ブロック１０で規定されている標準の控長（例えば、３５０ｍｍ）の場合である。
【００３７】
図５に示す状態で、後壁１２と法面Ｎとの間にクラッシャランＳ（粒度砕石）を入れて上部から転圧して押し固める。この後、前壁１１と後壁１２の間にコンクリートを打設する。コンクリートの打設が終わると一段目の擁壁ブロック１０の前壁１１の上端中央部及び後壁１２の上端中央部から固定治具１を取り外す。そして、図６に示すように、２段目の擁壁ブロック１０の前壁１１を一段目の擁壁ブロック１０の前壁１１の上部に、２段目の擁壁ブロック１０の後壁１２を一段目の擁壁ブロック１０の後壁１２の上部にそれぞれ載置し、固定治具１により、２段目の擁壁ブロック１０の前壁１１の上端中央部を前壁挟持部２により挟持固定し、後壁１２の上端中央部を第一後壁挟持部３により挟持固定する。
【００３８】
一段目（下段）の擁壁ブロック１０の前壁１１の上面には、上部に載置する二段目の擁壁ブロック１０の前壁１１の下面の載置位置を位置決めするための位置決め穴１１ｃが形成されている。下段の擁壁ブロック１０の前壁１１の上面と当接する上段の擁壁ブロック１０の前壁１１の下面には、上段の擁壁ブロック１０の前壁１１の下面に設けられた位置決め穴１１ｃと対抗する位置に位置決め穴１１ｄが形成されている。この上下の位置決め穴１１ｃ、１１ｄにガイドピンＰ（例えば、プラスチック製の連結ピン）を挿入して、上下の擁壁ブロック１０の前壁１１を位置決めして載置する。
【００３９】
また、前壁１１と同様に、一段目（下段）の擁壁ブロック１０の後壁１２の上面には、上部に載置する二段目の擁壁ブロック１０の後壁１２の下面の載置位置を位置決めするための位置決め穴１２ｃが形成されている。下段の擁壁ブロック１０の後壁１２の上面と当接する上段の擁壁ブロック１０の後壁１２の下面には、下段の擁壁ブロック１０の後壁１２の下面に設けられた位置決め穴１２ｃと対抗する位置に位置決め穴１２ｄが形成されている。この上下の位置決め穴１２ｃ、１２ｄにガイドピンＰを挿入して、上下の擁壁ブロック１０の後壁１２載置位置を位置決めする。
【００４０】
なお、前壁１１の上下面に設けられた位置決め穴１１ｃ、１１ｄや後壁１２の上下面に設けられた位置決め穴１２ｃ、１２ｄは、前壁１１や後壁１２の上下面にそれぞれ複数箇所（例えば、２箇所）設けることが望ましい。これにより、前壁１１と後壁１２とのそれぞれの上下面に設けられた複数の位置決め穴（１１ｃと１１ｄ、１２ｃと１２ｄ）を位置合わせすることで、上段に載置する前壁１１及び後壁１２の位置決めを容易に行うことができる。
【００４１】
これにより、下段の擁壁ブロック１０の前壁１１の上面に、上段の擁壁ブロック１０の前壁１１の下面を水平方向にずれることなく、かつ、下段の擁壁ブロック１０の前壁１１の上面から上段の擁壁ブロック１０の前壁１１が滑落することなく垂直に載置でき、下段の擁壁ブロック１０の後壁１２の上面に、上段の擁壁ブロック１０の後壁１２の下面を水平方向にずれることなく、かつ、下段の擁壁ブロック１０の後壁１２の上面から上段の擁壁ブロック１０の後壁１２が滑落することなく垂直に載置することができる。なお、上段の擁壁ブロック１０の前壁１１の下面に設けられた位置決め穴１１ｄ及び後壁１２の下面に設けられた位置決め穴１２ｄを下段の位置決め穴１１ｃに挿入するための位置決め突起（図示せず）とし、この位置決め突起を下段の位置決め穴１１ｃに挿入して、上下段の擁壁ブロック１０の前壁１１及び後壁１２を位置決めして載置する方法でもよい。
【００４２】
この後、下段の擁壁ブロック１０の上部に上段の擁壁ブロック１０を載置し、固定治具１により、上段の擁壁ブロック１０の前壁１１の上端中央部を前壁挟持部２により挟持固定し、後壁１２の上端中央部を第一後壁挟持部３により挟持固定する。そして、後壁１２と法面Ｎとの間にクラッシャランＳ（粒度砕石）を入れて上部から転圧して押し固める。この後、前壁１１と後壁１２の間にコンクリートを打設する。以下、同様の作業を繰り返して、法面Ｎの前面に、一段ずつ擁壁ブロック１０を築造する。これにより、図７に示すように、擁壁を施工する法面Ｎの前方に、複数段（図中では５段）の擁壁ブロック１０が築造されることになる。また、後壁１２と法面Ｎとの間にクラッシャランＳ（粒度砕石）を転圧し、前壁１１と後壁１２の間にコンクリートを打設した後は、擁壁ブロック１０の控長（前壁１１と後壁１２との間隔）が固定されるので、前壁１１と後壁１２の間に打設したコンクリートが固まるのを待たずに、上段の擁壁ブロック１０の載置作業を連続して行えるので、作業効率の高い擁壁の施工方法とすることができる。
【００４３】
また、図示はしないが、擁壁ブロック１０の施工時には、法面Ｎから排出される水を擁壁の外部に排出するドレーンパイプ等が法面Ｎから、クラッシャランＳ、コンクリートＫ及び擁壁ブロック１０を貫通して設けられる。つまり、擁壁の施工時に必要な一般的な工事や作業は当然のことながら行われる。
【００４４】
上述してきたように、本実施形態の固定治具１を用いた擁壁の施工方法によれば、擁壁ブロック１０を構成する前壁１１及び後壁１２の上端を、固定治具１を取り付けて挟持固定するだけで、施工現場で擁壁ブロック１０を築造する際に、コンクリートを打設する擁壁ブロック１０の控長を容易に調整できる。つまり、擁壁ブロック１０の控長を容易に調整できる固定治具１を用いた擁壁ブロック１０を築造する擁壁の施工方法を実現することができる。また、固定治具１は、安価で製造でき、設置現場での設置作業が容易であり、かつ、工期を短縮することに貢献できるため、擁壁ブロック１０を築造する作業における経済的な効果が大きい。
【００４５】
また、上述してきた実施形態では、上部が後方に所定の傾斜角度で傾斜した前壁１１及び後壁１２を有する擁壁ブロック１０を挟持固定する固定治具１を一例として説明してきたが、本発明の固定治具１はこれに限定されるものではない。例えば、傾斜面を有さない、つまり、垂直の前壁１１及び後壁１２を有する擁壁ブロック１０においても、前壁挟持部２及び３箇所の第一後壁挟持部３、第二後壁挟持部４、第三後壁挟持部５を、矩形平板状の鋼板１Ａの下面に垂直に形成することで対応することができる。
【００４６】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００４７】
１    固定治具
２    前壁挟持部
３    第一後壁挟持部
４    第二後壁挟持部
５    第三後壁挟持部
１０  擁壁ブロック
１１  前壁
１２  後壁
１３  控壁
１４  基礎
Ｇ    地面
Ｎ    法面
Ｓ    クラッシャラン
Ｋ    コンクリート
【図１】
2020066886.tif 000003
【図２】
2020066886.tif 000004
【図３】
2020066886.tif 000005
【図４】
2020066886.tif 000006
【図５】
2020066886.tif 000007
【図６】
2020066886.tif 000008
【図７】
2020066886.tif 000009
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
所定間隔を開けて平行に配設された前壁と後壁と間にコンクリートを打設して築造される練積み構造の擁壁ブロックにおいて、
前記前壁の上端中央部を着脱自在に挟持する前壁挟持部と、
前記前壁と平行に前記後壁を複数の異なる間隔で挟持することが可能であり、かつ、前記後壁の上端中央部を着脱自在に挟持することが可能な複数の後壁挟持部と、
を備え、
前記前壁挟持部は、前記前壁の前面を挟持する前壁前面挟持板と、前記前壁の厚みに応じて前記前壁の後面を挟持する前壁後面挟持板との組合せにより形成されるとともに、前記前壁挟持部を形成する前記前壁前面挟持板と前記前壁後面挟持板との長さは、前記前壁前面挟持板の方が前記前壁後面挟持板よりも下方に長く形成され、
前記複数の後壁挟持部は、前記後壁の前面を挟持する後壁前面挟持板と、前記後壁の厚みに応じて前記後壁の後面を挟持する後壁後面挟持板との組み合わせによりそれぞれ形成されるとともに、前記複数の後壁挟持部を形成する前記後壁前面挟持板と前記後壁後面挟持板との長さは、前記後壁後面挟持板の方が前記後壁前面挟持板よりも下方に長く形成されていることを特徴とする擁壁ブロックの固定治具。
【請求項２】
請求項１の擁壁ブロックの固定治具を用いて、擁壁ブロックを法面の傾斜面に沿って上方に積み上げて築造することを特徴とする擁壁の施工方法。
【手続補正２】
【補正対象書類名】明細書
【補正対象項目名】００１１
【補正方法】変更
【補正の内容】
【００１１】
本発明は、所定間隔を開けて平行に配設された前壁と後壁と間にコンクリートを打設して築造される練積み構造の擁壁ブロックにおいて、前記前壁の上端中央部を着脱自在に挟持する前壁挟持部と、前記前壁と平行に前記後壁を複数の異なる間隔で挟持することが可能であり、かつ、前記後壁の上端中央部を着脱自在に挟持することが可能な複数の後壁挟持部と、を備え、前記前壁挟持部は、前記前壁の前面を挟持する前壁前面挟持板と、前記前壁の厚みに応じて前記前壁の後面を挟持する前壁後面挟持板との組合せにより形成されるとともに、前記前壁挟持部を形成する前記前壁前面挟持板と前記前壁後面挟持板との長さは、前記前壁前面挟持板の方が前記前壁後面挟持板よりも下方に長く形成され、前記複数の後壁挟持部は、前記後壁の前面を挟持する後壁前面挟持板と、前記後壁の厚みに応じて前記後壁の後面を挟持する後壁後面挟持板との組み合わせによりそれぞれ形成されるとともに、前記複数の後壁挟持部を形成する前記後壁前面挟持板と前記後壁後面挟持板との長さは、前記後壁後面挟持板の方が前記後壁前面挟持板よりも下方に長く形成されていることを特徴とする擁壁ブロックの固定治具とした。
【手続補正３】
【補正対象書類名】明細書
【補正対象項目名】００１３
【補正方法】変更
【補正の内容】
【００１３】
本発明は、所定間隔を開けて平行に配設された前壁と後壁と間にコンクリートを打設して築造される練積み構造の擁壁ブロックにおいて、前記前壁の上端中央部を着脱自在に挟持する前壁挟持部と、前記前壁と平行に前記後壁を複数の異なる間隔で挟持することが可能であり、かつ、前記後壁の上端中央部を着脱自在に挟持することが可能な複数の後壁挟持部と、を備え、前記前壁挟持部は、前記前壁の前面を挟持する前壁前面挟持板と、前記前壁の厚みに応じて前記前壁の後面を挟持する前壁後面挟持板との組合せにより形成されるとともに、前記前壁挟持部を形成する前記前壁前面挟持板と前記前壁後面挟持板との長さは、前記前壁前面挟持板の方が前記前壁後面挟持板よりも下方に長く形成され、前記複数の後壁挟持部は、前記後壁の前面を挟持する後壁前面挟持板と、前記後壁の厚みに応じて前記後壁の後面を挟持する後壁後面挟持板との組み合わせによりそれぞれ形成されるとともに、前記複数の後壁挟持部を形成する前記後壁前面挟持板と前記後壁後面挟持板との長さは、前記後壁後面挟持板の方が前記後壁前面挟持板よりも下方に長く形成されていることを特徴とする擁壁ブロックの固定治具とした。これにより、後壁を挟持する固定治具の複数の後壁挟持部のうちの何れかを選択することで、築造する高さや土留する法面の土の状態に応じて、擁壁ブロックの控長（前壁と後壁との間隔）を複数の間隔から任意に変更することが可能となる。すなわち、施工現場で擁壁を築造する際に、コンクリートを打設する擁壁ブロックの控長を容易に調整できる擁壁ブロックの固定治具を提供することができる。